(57)【要約】電圧制御発振器（ＶＣＯ）周波数に対する温度変化の影響を補償するための技法が、開示される。一実施形態においては、補助バラクタが、ＶＣＯのＬＣタンクに結合される。補助バラクタは、温度に伴ってＶＣＯ周波数の全体の変化を最小にする、温度依存制御電圧（Ｖａｕｘ）によって制御されるキャパシタンスを有する。デジタル手段とアナログ手段とを使用して制御電圧を生成するための技法が、さらに開示される。補助バラクタ（Ｃａｕｘ）は、ＬＣタンクの電圧制御キャパシタ（Ｃ）と直列に、または並列にのいずれかで結合されることができる。一実施形態においては、制御電圧は、絶対温度に比例した第１の電流と、温度にわたって一定の第２の電流、例えば、バンドギャップ電流、との間の差を得ることによって生成される。
2011518535.tif 000002
【特許請求の範囲】
【請求項１】
電圧制御発振器（ＶＣＯ）の発振周波数を調整するための方法であって、前記ＶＣＯの温度変化は、ＶＣＯ発振周波数の変動を引き起こし、前記方法は、
前記ＶＣＯの温度を検知することと；
補助バラクタを前記ＶＣＯに結合することと、なお前記補助バラクタのキャパシタンスの変化は、前記ＶＣＯの発振周波数の変化を引き起こす；
制御信号を使用して前記補助バラクタのキャパシタンスを制御することと；
ＶＣＯの温度変化に起因したＶＣＯ発振周波数の前記変動が、低減されるように、前記検知された温度に基づいて前記制御信号を調整することと；
を備える方法。
【請求項２】
前記ＶＣＯは、ＬＣタンク共振器を備え、前記の補助バラクタを前記ＶＣＯに結合することは、前記ＬＣタンク共振器の電圧制御キャパシタに直列に前記補助バラクタを結合すること、を備える、請求項１に記載の方法。
【請求項３】
前記ＶＣＯは、ＬＣタンク共振器を備え、前記の補助バラクタを前記ＶＣＯに結合することは、前記ＬＣタンク共振器の電圧制御キャパシタに並列に前記補助バラクタを結合すること、を備える、請求項１に記載の方法。
【請求項４】
前記ＶＣＯは、アナログＶＣＯである、請求項１に記載の方法。
【請求項５】
前記ＶＣＯは、デジタルＶＣＯ（ＤＣＯ）である、請求項１に記載の方法。
【請求項６】
前記制御信号は、制御電圧であり、前記の前記制御電圧を調整することは、絶対温度に比例して前記制御電圧を変化させること、を備える、請求項３に記載の方法。
【請求項７】
前記の前記制御電圧を変化させることは、第１の電流を生成する第１の電流源を提供すること、を備え、前記第１の電流は、絶対温度に比例している、請求項６に記載の方法。
【請求項８】
第１の乗法因子だけ前記第１の電流を増大させること、をさらに備える請求項７に記載の方法。
【請求項９】
前記の前記制御電圧を変化させることは、前記第１の電流源に直列に結合された第２の電流源を提供すること、をさらに備え、前記第２の電流源は、温度にわたって一定の第２の電流を供給し、前記の第１の電流と第２の電流との間の差は、前記制御電圧を生成する、請求項７に記載の方法。
【請求項１０】
前記第２の電流源は、バンドギャップ電流源である、請求項９に記載の方法。
【請求項１１】
第２の乗法因子だけ前記第２の電流源によって供給される前記電流を増大させること、をさらに備える請求項９に記載の方法。
【請求項１２】
前記の第１の電流と第２の電流との間の差に低域通過フィルタをかけること、をさらに備える請求項９に記載の方法。
【請求項１３】
前記の前記制御信号を調整することは、
前記ＶＣＯの前記検知された温度に対応するデジタル制御値を決定することと、
前記デジタル制御値を前記補助バラクタのためのアナログ制御信号へと変換することと、
を備える、請求項１に記載の方法。
【請求項１４】
前記のデジタル制御値を決定することは、ルックアップテーブルを参照すること、を備え、前記ルックアップテーブルは、検知された各温度を制御信号にマッピングする、請求項１３に記載の方法。
【請求項１５】
前記の前記制御信号を調整することは、
前記ＶＣＯの前記検知された温度に対応する少なくとも１つのデジタル制御値を決定することと、
前記バラクタのキャパシタンスを変化させるために前記少なくとも１つのデジタル制御値を供給することと、
を備え、前記バラクタは、１組の切り換え可能なキャパシタンスを備える、請求項１に記載の方法。
【請求項１６】
少なくとも１つの制御電圧によって調整可能な発振周波数を有する電圧制御発振器（ＶＣＯ）であって、前記ＶＣＯの温度変化は、前記発振周波数の変化を引き起こし、前記ＶＣＯは、
前記ＶＣＯに結合された補助バラクタ、を備え、前記補助バラクタのキャパシタンスの変化は、前記ＶＣＯの前記発振周波数の変化を引き起こし、前記補助バラクタのキャパシタンスは、制御信号によって制御され、前記制御信号は、ＶＣＯの温度変化に起因したＶＣＯ発振周波数の変動が、低減されるように、前記ＶＣＯの検知された温度に基づいて調整される、ＶＣＯ。
【請求項１７】
ＬＣタンク共振器、をさらに備え、前記補助バラクタは、前記ＬＣタンク共振器の電圧制御キャパシタに直列に結合される、請求項１６に記載のＶＣＯ。
【請求項１８】
ＬＣタンク共振器、をさらに備え、前記補助バラクタは、前記ＬＣタンク共振器の電圧制御キャパシタに並列に結合される、請求項１６に記載のＶＣＯ。
【請求項１９】
前記ＶＣＯは、アナログＶＣＯである、請求項１６に記載のＶＣＯ。
【請求項２０】
前記ＶＣＯは、デジタルＶＣＯ（ＤＣＯ）である、請求項１６に記載のＶＣＯ。
【請求項２１】
前記制御信号は、制御電圧であり、前記制御電圧は、絶対温度に比例して前記制御電圧を変化させることによって調整される、請求項１８に記載のＶＣＯ。
【請求項２２】
第１の電流を生成する第１の電流源、をさらに備え、前記第１の電流は、絶対温度に比例しており、前記制御電圧は、前記第１の電流によって生成される、請求項２１に記載のＶＣＯ。
【請求項２３】
前記第１の電流源に直列に結合された第２の電流源、をさらに備え、前記第２の電流源は、温度にわたって一定の第２の電流を供給し、前記の第１の電流と第２の電流との間の差は、前記制御電圧を生成する、請求項２２に記載のＶＣＯ。
【請求項２４】
前記第２の電流源は、バンドギャップ電流源である、請求項２３に記載のＶＣＯ。
【請求項２５】
前記の第１の電流源と第２の電流源との大きさのうちの少なくとも一方は、乗法因子だけ調整可能である、請求項２３に記載のＶＣＯ。
【請求項２６】
前記電流源と前記補助バラクタとの間に結合された低域通過フィルタ、をさらに備える請求項２３に記載のＶＣＯ。
【請求項２７】
前記ＶＣＯの前記温度を検知するための温度センサと、
前記検知された温度をデジタル制御信号に変換するためのプロセッサと、
前記デジタル制御信号に対応する出力信号を生成するためのデジタルアナログ変換器（ＤＡＣ）と、
をさらに備え、前記出力信号は、前記制御信号に結合される、請求項１６に記載のＶＣＯ。
【請求項２８】
前記プロセッサは、検知された各温度を出力信号にマッピングするルックアップテーブル、を備える、請求項２７に記載のＶＣＯ。
【請求項２９】
前記ＶＣＯの前記温度を検知するための温度センサと、
前記検知された温度を少なくとも１つのデジタル制御信号に変換するためのプロセッサと、
をさらに備え、前記少なくとも１つのデジタル制御信号は、前記バラクタのキャパシタンスを制御し、前記バラクタは、少なくとも１つの切り換え可能なキャパシタンスを備える、請求項１６に記載のＶＣＯ。
【請求項３０】
少なくとも１つの制御電圧によって調整可能な発振周波数を有する電圧制御発振器（ＶＣＯ）であって、前記ＶＣＯの温度変化は、前記発振周波数の変化を引き起こし、前記ＶＣＯは、
前記ＶＣＯの温度を検知するための手段と；
補助バラクタを前記ＶＣＯに結合するための手段と、なお前記補助バラクタのキャパシタンスの変化は、前記ＶＣＯの前記発振周波数の変化を引き起こす；
制御信号を使用して前記補助バラクタのキャパシタンスを制御するための手段と；
ＶＣＯの温度変化に起因した前記ＶＣＯ発振周波数の変動が、低減されるように、前記検知された温度に基づいて前記制御信号を調整するための手段と；
を備えるＶＣＯ。
【請求項３１】
前記ＶＣＯは、ＬＣタンク共振器を備え、補助バラクタを前記ＶＣＯに結合するための前記手段は、前記ＬＣタンク共振器の電圧制御キャパシタに直列に前記補助バラクタを結合するための手段、を備える、請求項３０に記載のＶＣＯ。
【請求項３２】
前記ＶＣＯは、ＬＣタンク共振器を備え、補助バラクタを前記ＶＣＯに結合するための前記手段は、前記ＬＣタンク共振器の電圧制御キャパシタに並列に前記補助バラクタを結合するための手段、を備える、請求項３０に記載のＶＣＯ。
【請求項３３】
前記ＶＣＯは、アナログＶＣＯである、請求項３０に記載のＶＣＯ。
【請求項３４】
前記ＶＣＯは、デジタルＶＣＯ（ＤＣＯ）である、請求項３０に記載のＶＣＯ。
【請求項３５】
前記制御信号を調整するための前記手段は、絶対温度に比例して制御電圧を変化させるための手段、を備える、請求項３２に記載のＶＣＯ。
【請求項３６】
ＶＣＯの測定された温度と、前記ＶＣＯにおける補助キャパシタのための制御信号との間の関係を指定するためのコンピュータプログラムプロダクトであって、前記ＶＣＯの温度変化は、発振周波数の変化を引き起こし、前記プロダクトは、
コンピュータに、ＶＣＯの温度変化に起因したＶＣＯ発振周波数の変動が、低減されるように、前記補助キャパシタのための制御信号を発生するようにさせるためのコード、
を備えるコンピュータ可読媒体、
を備えるコンピュータプログラムプロダクト。
【発明の詳細な説明】
【技術分野】
【０００１】
本開示は、電圧制御発振器(voltage-controlled oscillators)（ＶＣＯ）に関し、より詳細には、温度変化に起因した、ＶＣＯの周波数シフトに対処するための技法に関する。
【背景】
【０００２】
電圧制御発振器（ＶＣＯ）は、電圧入力によって制御される発振周波数を有する信号を生成するように設計された電気発振器である。ＶＣＯは、発振器回路に結合されたＬＣタンク共振器の中でバラクタ（すなわち、電圧可変キャパシタ）を使用してインプリメントされることができる。制御電圧を使用してバラクタのキャパシタンスを変化させることにより、ＶＣＯの発振周波数は、制御されることができる。
【０００３】
通常のオペレーション中に、ＶＣＯ回路の温度変化は、期待周波数からの発振周波数の望ましくない偏差(deviations)をもたらす可能性がある。温度変化によって引き起こされるＶＣＯ発振周波数の偏差を補償する技法を有することが、望ましいであろう。
【発明の概要】
【０００４】
本開示の一態様は、電圧制御発振器（ＶＣＯ）の発振周波数を調整するための方法を提供し、ＶＣＯの温度変化は、ＶＣＯ発振周波数の変動を引き起こし、本方法は、ＶＣＯの温度を検知することと；補助バラクタをＶＣＯに結合することと、なお補助バラクタのキャパシタンスの変化は、ＶＣＯの発振周波数の変化を引き起こす；制御電圧を使用して補助バラクタのキャパシタンスを制御することと；ＶＣＯの温度変化に起因したＶＣＯ発振周波数の変動が、低減されるように、検知された温度に基づいて制御電圧を調整することと；を備える。
【図面の簡単な説明】
【０００５】
【図１】図１は、ＬＣタンクに結合された発振器回路１００を使用した先行技術のＶＣＯ設計を示している。
【図１Ａ】図１Ａは、制御電圧ＶａｄｊとＶＣＯ発振周波数との間の一例の関係を示している。
【図２】図２は、本開示による一実施形態を示しており、そこで補助バラクタＣａｕｘは、ＶＣＯの温度変化の影響に対抗するために提供される。
【図３】図３は、補助バラクタＣａｕｘを制御する信号Ｖａｕｘを生成するための、本開示による一般化された一実施形態を示している。
【図４】図４は、温度に比例して変化する関数に応じてアナログドメインにおいて直接に電圧Ｖａｕｘを生成するための回路の一実施形態を示している。
【図５】図５は、本開示による一方法の一実施形態を示している。
【詳細な説明】
【０００６】
図１は、ＬＣタンク１１０に結合された発振器回路１００を使用した先行技術のＶＣＯ設計を示している。制御電圧Ｖａｄｊは、ＬＣタンクの中のバラクタＣのキャパシタンスを制御する。これは、ＬＣタンク共振周波数と、それ故に、ＶＣＯ発振周波数とを制御する。バラクタＣは、複数の構成キャパシタを備えることができ、これらのキャパシタンスの一部または全部は、１つまたは複数の制御信号Ｖａｄｊによって制御されることができる。
【０００７】
例えば、アナログＶＣＯの一実施形態においては、発振する周波数は、１組のデジタル制御電圧に基づいてキャパシタのバンクに選択的にスイッチを入れること、そしてスイッチを切ることにより、粗調整されることができる。次いで、周波数は、アナログ電圧を使用してバラクタのキャパシタンスを制御することにより微調整されることができる。この実施形態においては、信号Ｖａｄｊは、粗調整を制御する複数のデジタル信号と、微調整を制御するアナログ信号と、を備えることができる。代わりに、デジタルＶＣＯ、またはＤＣＯ（デジタルに制御される発振器）の一実施形態においては、動作するキャパシタンスの粗調整と微調整との両方が、デジタル信号を使用して制御されることができる。本明細書において、そして本特許請求の範囲においては、電圧制御発振器（ＶＣＯ）という用語は、アナログＶＣＯとデジタルＶＣＯ（ＤＣＯ）との両方を包含するように理解されるであろうことに注意すべきである。当業者(One of ordinary skill in the art)は、ここにおいて開示される技法は、簡単に、デジタルＶＣＯとアナログＶＣＯとの両方に適用されることができることに気が付くであろう。
【０００８】
図１Ａは、制御電圧Ｖａｄｊと、ＶＣＯ発振周波数との間の一例の関係を示している。与えられた制御電圧Ｖａｄｊ＝Ｖ１と、ＶＣＯ温度Ｔ１とでは、ＶＣＯ発振周波数は、Ｆ１であることが示される。Ｔ１からＴ２へのＶＣＯ温度の変化ΔＴは、ＶＣＯ発振周波数にＦ１からＦ２へとシフトするようにさせることが、さらに示される。周波数のシフトは、バラクタ、発振器回路、または他の任意のメカニズムにおける温度依存の変化によって引き起こされることができ、そして一般にＶＣＯオペレーションのためには望ましくない。
【０００９】
図１ＡにおけるＶａｄｊと周波数との間の関係は、例証の目的のためだけに示されることに注意すべきである。当業者は、本開示の技法が、ＶａｄｊとＶＣＯ周波数との間の任意の関数マッピングに対して適用されることができることに気が付くであろう。さらに、ＶＣＯ周波数の変化は、温度変化に直接に関連している、反比例している、あるいは図１Ａに示される関係とは異なるどのような任意の関係を有することができる。例証を簡単にするために、本開示は、一実施形態を意味することができ、そこでＶＣＯ発振周波数の変化は、温度変化に反比例している。しかしながら、当業者は、本開示の技法が、簡単に実施形態に適用されることができ、そこでＶＣＯ発振周波数は、ここにおいて明示的に説明されるものに比べて温度と異なる関係を有することに気が付くであろう。
【００１０】
図２は、本開示による一実施形態を示しており、そこで補助バラクタＣａｕｘは、ＶＣＯ周波数に対する温度変化の影響に対抗するために提供される。図２において、補助バラクタＣａｕｘは、ＶＣＯ１００のＬＣタンクの中の主要キャパシタンスＣと並列に結合される。
【００１１】
図２において、Ｃａｕｘのキャパシタンスは、補償制御電圧Ｖａｕｘによって制御される。一実施形態においては、Ｖａｕｘは、温度にわたって変化するように設計され、その結果、Ｃａｕｘのキャパシタンスは、温度依存のＶＣＯ周波数の変化を補償するように変化する。図２の実施形態においては、ＶＣＯ発振周波数が温度に反比例する場合、そのときには、温度が下がるときにＣａｕｘのキャパシタンスを増大させることが望ましく、そして反対に、温度が上がるときにはＣａｕｘのキャパシタンスを低減させることが望ましいことになる。
【００１２】
当業者は、代替実施形態（図示されず）においては、補助バラクタが、主要キャパシタＣと直列に、あるいはＬＣタンクの全体キャパシタンスが補助バラクタによって影響を受けることを可能にする任意のやり方で、結合されることができることに気が付くであろう。そのような実施形態においては、ＣａｕｘとＴとの間の関係は、それに応じて修正されることができる。これらの実施形態は、本開示の範囲内にあるように企図される。
【００１３】
図３は、補助バラクタＣａｕｘを制御する信号Ｖａｕｘを生成するための、本開示による一般化された一実施形態を示している。図３において、温度センサ３００は、ＶＣＯの測定された温度を示す。電圧ジェネレータ３１０は、Ｔに基づいて電圧Ｖａｕｘを生成する。電圧ＶａｕｘとＴとの間の関数関係(functional relationship)は、温度に対するＶＣＯ発振周波数の期待依存性(expected dependence)によって決定されることができる。そのような期待依存性は、例えば、コンピュータ回路シミュレーション、実験測定からのデータ、または当業者に知られている他の任意のメカニズムを使用して導き出されることができる。一実施形態においては、ＶａｕｘとＴとの間の関数関係は、バラクタＣａｕｘのキャパシタンスが、温度に対するＶＣＯ発振周波数の期待依存性を補償することを可能にするように選択されることができる。
【００１４】
一実施形態においては、Ｖａｕｘと温度Ｔとの間の関係は、以下のガイドライン（ガイドライン１）：
【数１】
2011518535.tif 000003
【００１５】
に応じて設計されることができ、そこで、
【数２】
2011518535.tif 000004
【００１６】
は、対応する温度変化によって除算された、温度に起因した発振周波数の期待変化(expected change)であり、
【数３】
2011518535.tif 000005
【００１７】
は、Ｖａｕｘの対応する変化によって除算された、Ｖａｕｘに起因した補助キャパシタンスの期待変化であり、そして
【数４】
2011518535.tif 000006
【００１８】
は、Ｖａｕｘの変化と、温度Ｔの変化との間の望ましい関係である。ガイドライン１における関係は、例示の目的のためだけに与えられ、そしてＶａｕｘとＴとの間の特定な任意の関係だけに本開示の範囲を限定するようには意味されないことに注意すべきである。
【００１９】
当業者は、測定された温度Ｔは、アナログ信号であっても、あるいはデジタル信号であってもよいことに気が付くであろう。電圧ジェネレータ３１０は、望ましい関数関係を合成するためにアナログ回路を使用して直接にインプリメントされることもでき、あるいはそれは、例えば、ルックアップテーブル(look-up table)（ＬＵＴ）または他のデジタル手段を使用してデジタル処理でインプリメントされることもできる。一実施形態においては、電圧ジェネレータ３１０は、Ｔのアナログ表現を受け取り、アナログデジタル変換器(analog-to-digital converter)（ＡＤＣ）を使用してそれをデジタル化し、デジタルドメインの中で望ましい関係をインプリメントし、そしてデジタル処理で生成された信号をＶａｕｘとしてアナログドメインに変換して戻すことができる。一代替実施形態においては、電圧ジェネレータ３１０は、１つまたは複数のデジタル制御信号としてＶａｕｘを供給することができ、そしてＣａｕｘは、Ｖａｕｘによって制御される１組の切り換え可能なキャパシタとしてインプリメントされることができる。
【００２０】
図４は、温度に比例して変化する関数に応じて、アナログドメインにおいて直接に電圧Ｖａｕｘを生成するための回路の一実施形態を示している。また、図４には、ＶＣＯのＬＣタンクの中の補助バラクタＣａｕｘ４００の特定の一実施形態も示される。
【００２１】
図４においては、バラクタＣａｕｘ４００は、制御電圧Ｖａｕｘによって制御される。示される実施形態においては、バラクタＣａｕｘ４００は、ＮＭＯＳバラクタとしてインプリメントされ、そこでバラクタ制御電圧は、バラクタキャパシタンスに反比例している。バラクタＣａｕｘ４００は、ＶＣＯ制御電圧Ｖａｄｊによって制御される主要バラクタＣ４１０と並列に結合される。並列バラクタは、ＶＣＯに結合される。一実施形態においては、追加の１組のデジタル制御キャパシタ（図示されず）が、粗調整のために提供されることもできる。
【００２２】
図４において、制御電圧Ｖａｕｘは、温度センサ／電圧ジェネレータ４５０によって生成され、そしてＲＣフィルタ４２０によってバラクタＣａｕｘに結合される。示される実施形態においては、ＲＣフィルタ４２０は、Ｃａｕｘに結合する前にＶａｕｘから高周波数雑音を取り除くために提供される。電圧ジェネレータ４５０は、第１の電流源４３０と、第２の電流源４４０と、を含む。一実施形態においては、第１の電流源４３０によって生成される電流の大きさは、温度Ｔに依存するように設計されるが、第２の電流源４４０によって生成される電流の大きさは、温度とは独立しているように設計される。一実施形態においては、第２の電流源４４０は、当技術分野においてよく知られているバンドギャップ電流源とすることができる。電流源は、４３０と４４０とによって生成される電流の差が、電流Ｉｄｉｆｆとして流れるようにするために結合される。
【００２３】
一実施形態においては、第１の電流源は、絶対温度に直接に比例した大きさを有する電流、またはＰＴＡＴ（式１）：
βＩｐｔａｔ（Ｔ）＝αＩｂｇ（１＋ＴＣ（Ｔ−Ｔ０））    
を生成するように設計されることができ、そこでＩｐｔａｔ（Ｔ）は、第１の電流源４３０によって生成される基本電流(base current)の大きさであり、Ｉｂｇは、バンドギャップ電流源４４０によって生成される基本電流の（温度に独立な）大きさであり、係数αおよびβは、外部供給された制御信号によって選択可能な電流乗数であり、Ｔは、摂氏の温度であり、ＴＣは、第１の電流源４３０の温度係数であり、そしてＴ０は、電流源の設計によって決定される基準温度(reference temperature)である。一実施形態においては、Ｔ０は、摂氏２５度とすることができる。
【００２４】
電流Ｉｄｉｆｆは、次式（式２）：
【数５】
2011518535.tif 000007
【００２５】
として表現されることができ、そこで項
【数６】
2011518535.tif 000008
【００２６】
は、温度Ｔに対するＩｄｉｆｆの依存性の傾斜を修正する役割を果たす。
【００２７】
一実施形態においては、電流乗数αおよびβは、複数の並列結合された電流源を選択的にアクティブにすることによりインプリメントされることができる。一実施形態においては、βおよびαの値は、以下（表１）：
【表１】
2011518535.tif 000009
【００２８】
のように、Ｉｄｉｆｆの温度係数ＴＣ（すなわち、温度Ｔに対するＩｄｉｆｆの一次依存性）を修正するようにプログラムされることができる。
【００２９】
図４において、一定の抵抗Ｒ１は、温度依存のＩｄｉｆｆを電圧Ｖａｕｘへと、変換するために提供され、すなわちＶａｕｘ＝Ｉｄｉｆｆ＊Ｒ１である。一実施形態においては、抵抗Ｒ１は、ポリ抵抗(poly resistor)、金属抵抗、拡散抵抗、または当業者に知られている他の任意のタイプの抵抗、としてインプリメントされることができる。一代替実施形態（図示されず）においては、Ｖａｕｘ対温度の傾斜は、いくつかの値のうちの１つからＲ１を選択することにより制御されることもできる。ガイドライン１に応じた
【数７】
2011518535.tif 000010
【００３０】
の符号だけが、制御される一実施形態においては、抵抗Ｒ１は、厳密な精度許容範囲を満たす必要はないことに注意すべきである。
【００３１】
図４の実施形態は、例証の目的のためだけに示され、そしてＶａｕｘを生成する特定のどのような方法だけにも、またバラクタＣａｕｘの特定のどのようなインプリメンテーションだけにも、本開示の範囲を限定するようには意味されないことに注意すべきである。代替実施形態においては、補助バラクタは、例えば、ＡＣ結合キャパシタを使用して、任意の手段によってタンクの両端に接続されることができる。
【００３２】
上記で説明される技法を使用したＶＣＯは、温度変動の存在下で、例えば、位相ロックループ(phase-locked loop)（ＰＬＬ）が望ましい周波数にロックすることを支援するために、そのＰＬＬへと組み込まれることができることに注意すべきである。
【００３３】
図５は、本開示による一方法の一実施形態を示している。図５において、ステップ５００において、ＶＣＯ温度は、例えば、温度センサ、または本開示による他の温度依存の回路によって検知される。ステップ５１０において、補助バラクタは、ＶＣＯの周波数が、補助バラクタのキャパシタンスを調整することにより調整されることができるように、ＶＣＯに結合される。ステップ５２０において、補助バラクタのキャパシタンスは、制御信号を使用して制御される。ステップ５３０において、制御信号は、ＶＣＯ発振周波数の温度依存の変動を低減させるようにして調整される。一実施形態においては、制御信号は、図４を参照してここにおいて以上に説明されるように生成されることができる。代替実施形態においては、制御信号は、ＶＣＯ発振周波数の温度依存の変動を低減させるために、当業者によって導き出せる任意の方法を使用して生成されることができる。そのような実施形態は、本開示の範囲内にあるように企図される。
【００３４】
ここにおいて説明される技法は、ハードウェア、ソフトウェア、ファームウェア、またはそれらの任意の組合せの形でインプリメントされることができる。ハードウェアの形でインプリメントされる場合、本技法は、デジタルハードウェア、アナログハードウェア、またはそれらの組合せを使用して実現されることができる。ソフトウェアの形でインプリメントされる場合、本技法は、１つまたは複数の命令またはコードが記憶されるコンピュータ可読媒体を含むコンピュータプログラムプロダクト(computer-program product)によって少なくとも部分的に実現されることができる。
【００３５】
例として、限定するものではないが、そのようなコンピュータ可読媒体は、シンクロナスダイナミックランダムアクセスメモリ(synchronous dynamic random access memory)（ＳＤＲＡＭ）などのＲＡＭ、リードオンリーメモリ(read-only memory)（ＲＯＭ）、不揮発性ランダムアクセスメモリ(non-volatile random access memory)（ＮＶＲＡＭ）、ＲＯＭ、電気的消去可能プログラマブルリードオンリーメモリ(electrically erasable programmable read-only memory)（ＥＥＰＲＯＭ）、消去可能プログラマブルリードオンリーメモリ(erasable programmable read-only memory)（ＥＰＲＯＭ）、フラッシュメモリ(FLASH memory)、ＣＤ−ＲＯＭまたは他の光ディスクストレージ、磁気ディスクストレージまたは他の磁気ストレージデバイス、あるいは命令またはデータ構造の形態で望ましいプログラムコードを搬送しまたは記憶するために使用されることができ、そしてコンピュータによってアクセスされることができる他の任意の有形媒体、を備えることができる。
【００３６】
コンピュータプログラムプロダクトのコンピュータ可読媒体に関連する命令またはコードは、コンピュータ、例えば、１つまたは複数のデジタル信号プロセッサ(digital signal processors)（ＤＳＰ）、汎用マイクロプロセッサ、ＡＳＩＣ、ＦＰＧＡ、他の同等な集積化された、またはディスクリートの論理回路など、１つまたは複数のプロセッサによって実行されることができる。
【００３７】
本明細書において、そして本特許請求の範囲においては、要素が、別の要素に「接続されている」または「結合されている」と言及されるときには、それは、他の要素に直接に接続され、または結合され、あるいは介在する要素が、存在することもできることが、理解されるであろう。対照的に、要素が、別の要素に「直接に接続されている」または「直接に結合されている」と言及されるときには、介在する要素は、存在してはいない。
【００３８】
いくつかの態様および例が、説明されてきている。しかしながら、これらの例に対する様々な修正が、可能であり、そしてここにおいて提示される原理は、他の態様に対しても同様に適用されることができる。これらおよび他の態様は、添付の特許請求の範囲の範囲内にある。
【図１】
2011518535.tif 000011
【図１Ａ】
2011518535.tif 000012
【図２】
2011518535.tif 000013
【図３】
2011518535.tif 000014
【図４】
2011518535.tif 000015
【図５】
2011518535.tif 000016
【国際調査報告】
2011518535.tif 000017
2011518535.tif 000018
2011518535.tif 000019